(57)【要約】【課題】  頭皮へ薬液を供給して塗布する際は、頭皮は滑りやすく、髪の抵抗もある状況にある。  このような状況において、櫛９を用いて髪を梳く行為と同様の操作によって、髪を梳くと同時に安定的に頭皮へ薬液を供給して、塗布することが可能な器具を提供すること。【解決の手段】  櫛の歯状の形状をなしたノズル機能のあるケーシング５４と歯車３２Ｄより構成する、櫛の歯状ノズル歯車内蔵型５３において、歯車３２Ｄの一部を吐出側３６へ露出させた構造となすことにより、頭皮と歯車３２Ｄ（摩擦力の大きな歯車）の露出部を接触させて、その接触抵抗を利用して歯車３２Ｄを回転させることにより、容積式ポンプとして利用したこと。【選択図】図１４
2011120857.tif 000002
【特許請求の範囲】
【請求項１】
図１４に示す、ノズル機能のあるケーシング５４へ、歯車３２Ｄをセットして、歯車３２Ｄの接触回転により薬液７を吐出させる方法の、櫛の歯状ノズル歯車内蔵型５３を用いた頭皮への薬液塗布用器具。
【請求項２】
図１３に示す、櫛の歯状ノズル歯車ポンプ（容積式の回転ポンプ）内臓型のケーシング６０へ、１対を為す歯車を内蔵させて、歯車ポンプとしての機能を付加し、歯車（駆動側）３２Ｄの駆動用装置として回転ブラシ４１（頭皮と摩擦して回転する車輪）を用いる方法による頭皮への薬液塗布用器具。
【発明の詳細な説明】
【技術分野】
【０００１】    本発明は育毛剤、養毛剤、ふけ防止剤など、頭髪ではなくて、頭皮に直接塗布して使用することにより、その効果を発揮する液状の薬剤（薬液）の塗布用器具に関するものである。
【背景技術】
【０００２】  従来多く利用されている頭皮用の薬液散布用器具は、図１に示すようなガス圧力式スプレー１の器具が多く用いられている。
ガス圧力式スプレー１は、容器２に高圧のガス５と薬液７を封入し、操作用の押しボタン３を操作してバルブ４を開閉することにより薬液７を、導管６を通してノズル８より頭部へ向けて噴射して、頭髪の層を通過して頭皮へ到達させる頭皮への散布方法で利用する器具である。
又、本発明者は従来のガス圧力式スプレー１の欠点を補う、頭皮への薬液塗布用器具として、図２に示す櫛９の歯１１の中央部に薬液の流通させる孔１４を設けた櫛の歯状ノズル１３と、孔１４を活用した実施例として、櫛の歯状ノズル栓付型１３Ａ、櫛の歯状ノズルボールペン型１３Ｂ、櫛の歯状ノズル逆止弁型１３Ｃ、によって薬液を頭皮へ塗布する器具を実用新案として提案した（実願２００９−６１２９）。
【発明の開示】
【発明が解決しようとする課題】
【０００３】  図１に示すガス圧力式スプレー１の器具は、その手法が頭髪の上部に位置する、ノズル８から頭皮に向けての噴霧であることから、広い範囲へ斑が多い散布方法である。
従ってその大部分は、頭髪への散布と空気中への飛散となり、薬液の無駄が多いこと。
又、頭髪へ多く付着した薬液が、顔面に垂れて目に入る、汚れる等がしばしば発生して、塗布時に注意が必要であった。
他方、育毛剤等の利用者の中には頭髪の多い方や、婦人層で頭髪の長い方の利用者も多く、図１に示す従来の方法のものでは、頭皮への薬液７の塗布が適正に利用できない利用者が、多く存在している。
これらの欠点を、改善した器具として、本発明者は先に「実願２００９−６１２９（考案の名称：頭皮への薬液散布用器具）」（以下先の考案という）を提案した。
先の考案は、図２に示す櫛９の歯１１の中央部に薬液の流通させる孔１４を設けた、図３に示す「櫛の歯状ノズル１３」と、孔１４を活用した実施例として、図４に示す「櫛の歯状ノズル栓付型１３Ａ」、図５に示す「櫛の歯状ノズルボールペン型１３Ｂ」、図６に示す「櫛の歯状ノズル逆止弁型１３Ｃ」を用いた「頭皮への薬液散布用器具（図７に実施態様例を示す）」を提案し、図１に示すガス圧力式スプレー１の器具の欠点を補い、液薬の頭皮への塗布が簡便に無駄なく実施できる器具として為したものである。
図７の実施態様例が示す通り、先の考案においては、孔１４より頭皮へ供給される薬液の量を、自然の薬液の移動（液のヘッド差や毛管現象等による）に任せて、髪を櫛やブラシで梳くように、ノズルの先端１５を頭皮の上を移動させて使用する方法で薬液塗布を行うものであった。
本発明は、孔１４より頭皮へ供給される薬液の量を「自然の薬液の移動」から、頭皮への薬液７の塗布スピードに合わせ、塗布スピードにマッチした薬液７の量が安定的に「強制的に頭皮に供給されるように」（手動操作であっても、あたかも電動のポンプを使った薬液７の供給状態となすよう）、構造を工夫することにより、更に利便性を高めることを目的としたものである。
【課題を解決するための手段】
【０００４】  本発明は容積式の回転ポンプを、先の考案における櫛の歯状ノズル１３に内蔵すること及び、容積式の回転ポンプの動力源として、櫛やブラシで髪を梳く際に、髪や頭皮から櫛やブラシが受ける、摩擦抵抗を回転力に利用することにより、電力を利用することなく、容積式の回転ポンプを回転させて頭皮へ薬液を供給することを可能としたものである。
容積式の回転ポンプとしては、図８に示す歯車ポンプ３１、図９に示す三葉ポンプ４０を用いる。
図８に示す歯車ポンプ３１は、軸（駆動用）３３Ｄへモーターを接続して回転させることにより、軸３３Ｄへ連結された歯車（駆動側）３２Ｄを回転させることにより、歯車３２Ｄに噛み合った歯車３２も連動し、歯車ポンプのケーシング３５と歯車（３２Ｄ、３２）の歯、の間に閉じ込められた流体を、吸込側３７から吐出側３６へ運び出すポンプである。（ポンプの羽根である歯車３２、歯車（駆動側）３２Ｄの歯型は、必ずしもインボリュート型の必要は無く、円弧歯車（凹凸型）でも歯車としての噛み合いが可能な形状であればポンプへ利用が可能である。
図９に示す三つ葉ポンプ４０は、歯車ポンプの歯車３２、歯車（駆動側）３２Ｄに替えて、概略円弧型の、羽根が３個付いた形の回転子、回転子３９、回転子（駆動側）３９Ｄを用いているが、容積式ポンプとしての機能は歯車ポンプと同様である。
本発明は図８に示した歯車ポンプ３１において、歯車ポンプのケーシング３５Ｇの外形を櫛の歯１１と同様に、髪を梳ける形となして用いること。
又、図９に示す三葉ポンプ４０に付いても、三葉ポンプのケーシング３５Ｌの外形を櫛の歯１１の様に髪を梳ける形となして用いることで、容積式のポンプを内蔵した櫛の歯としての利用が可能となしたものである。
次に、歯車ポンプ３１と三葉ポンプ４０の駆動方法について説明する。
図１０は駆動装置として用いる回転ブラシ４１の構造を示す側面図でって、ボス４３に細い棒状のブラシの羽根４２が円形の回転ブラシとなるように付設され、ボス４３と軸（駆動用）３３Ｅはキー等により固定されて、連動して回転する構造となっている。
図１２は回転ブラシ４１の使用による回転力の発生を示す図面であって、図１２において、頭皮５１の表面を、回転ブラシ４１を矢印４９の方向へ移動させ髪を梳くように用いるときには、ブラシの先端４４と頭皮５１との接触部５２及びブラシの羽根４２と髪５０の接触により、回転ブラシの進行を妨げるような抵抗が生じ、回転ブラシ４１と軸（駆動用）３３Ｅは一体となって矢印３４Ｌの方向へ回転力を受けて回転する。
本発明では、この回転ブラシ４１を用いて、髪を梳くという行為で得た回転力を、軸３３Ｅより出力として取り出し、歯車ポンプ３１、若しくは三葉ポンプ４０の動力源として利用することにより、必要な動力を得て問題を解決したものである。
続いて、本発明による薬液の移動の原理を、図１３によって説明する、図１３は歯車ポンプ３１のケーシング３５Ｇを櫛の歯状のノズルに形状を改善した「櫛の歯状ノズル歯車ポンプ内臓型のケーシング６０」に、歯車２個（１対）を内蔵して歯車ポンプとなし、歯車（駆動側）３２Ｄの両側に回転ブラシ４１を各々２台配置して、連結された駆動用軸５８によって連結した構造のものであって、歯車（駆動側）３２Ｄを回転ブラシ４１の進行方向と見立てて、進行方向の正面より見た構造の断面図である。
図１３において、回転ブラシのボス４３及び歯車（駆動側）３２Ｄは連結された駆動用軸５８にキー又は焼き嵌等により固定されていることから、図１３に示す構造の「極小歯車を使用した、頭皮への薬液塗布用器具」を用いて、頭皮に沿って頭髪を梳いていけば、回転ブラシ４１が回転して、連結された駆動用軸５８を通じて歯車（駆動側）３２Ｄが回転する。
従って、図１３の吸込側３７に薬液を供給すれば、薬液は吐出側３６より回転ブラシ４１の回転速度に応じ排出されて頭皮の表面へ供給されることとなる。
次に図１４によって、歯車をノズルに内蔵した構造の本発明による「極小歯車を使用した、頭皮への薬液塗布用器具」を説明する。
図１４は、櫛の歯状の形状をなし、且つノズル機能のあるケーシング５４の内部に歯車（駆動用）３２Ｄを単体で内蔵した構造の、本発明による「櫛の歯状ノズル歯車内蔵型５３」の構造を示す断面図である。
櫛の歯状ノズル歯車内蔵型５３の使用方法は、歯車（駆動用）３２Ｄを頭皮の表面にあてがい適度な圧力を加えて、歯車の回転方向へ移動させる使用方法で用いるが、このとき歯車（駆動用）３２Ｄの歯面は円滑ではないので頭皮の表面と適度な摩擦力を生じて、歯車（駆動用）３２Ｄは回転する。
従って、ケーシング５４の吸込側３７へ薬液７を供給するすることにより「極小歯車を使用した、頭皮への薬液塗布用器具」として利用するものであって、その実施態様例を図１５に示す。
尚、櫛の歯状ノズル歯車内蔵型５３において、歯車（駆動用）３２Ｄは単体の歯車を利用していることから、歯先による薬液の掻き出しの他、歯車（駆動用）３２Ｄの側面（ホイール部）に付着した薬液も頭皮表面へ搬出する働きが可能である。
【発明の効果】
【０００５】  本発明による「極小歯車を使用した、頭皮への薬液塗布用器具」の効果は、利用方法が簡便であること、高価な薬液７を無駄なく塗布できること及び、薬液７が顔面に垂れて目に入る、汚れる等がなくなること。
簡便に利用できることは、気持ちよく利用回数を増やすことが可能であり、頭皮へ接触摩擦しながら塗布することは、頭皮に適度な刺激を与えて、薬液７の相乗効果を高めることとなる。
又、摩擦の小さな表面へ均一に液体を塗布する機能は、頭皮に限らず、皮膚や用紙、プラスチックのフィルムへの液体の精密な塗布への応用的な利用が可能である。
【発明を実施するための最良の形態】
【０００６】  図１３に示す機構の、櫛の歯状ノズル歯車ポンプ内臓型のケーシング６０、及び図１４に示すノズル機能のあるケーシング５４の吸込側３７には、薬液７の供給が必要であることから、薬液７の供給源となる、薬液７を貯蔵する容器と、容器２６から薬液７を供給する接続管を付設することが必要となる。
（図１５により実施例により説明する）
【発明の実施の形態１】
【０００７】  図１５は本発明による、「極小歯車を使用した、頭皮への薬液塗布用器具」の実施例を示す構造の断面図であって、櫛の歯状ノズル歯車内蔵型５３の吸込側３７へ、供給用の接続単管２５とキャップ２９を用いて、薬液７入りの容器２６をセットした構造で使用する。
使用方法は、薬液７入りの容器２６を手で握り、櫛の歯状ノズル歯車内蔵型５３より薬液７が上部になるような位置を保持しながら、頭皮の表面を、髪を梳くように動かすことで薬液７を頭皮へ塗布することが出来る仕組みである。
又、本発明による図１３に示す構造の「極小歯車を使用した、頭皮への薬液塗布用器具」の場合も、実施の形態は吸込側３７へ、供給用の接続単管２５とキャップ２９を用いて、薬液７入りの容器２６をセットした構造となして使用する。
【発明の実施の形態２】
【０００８】  図１１に示す、花ビラ形の円盤４５とボス４７と軸３３Ｅより構成される、花ビラ形車輪４８は花ビラ形の円盤の表面４６が、円滑な円形でなく、花びらのように凹凸があり転がる時の抵抗が大きいことから、回転ブラシ４１に変わる部品として利用することが可能である。
図１３に示す本発明による、「極小歯車を使用した、頭皮への薬液塗布用器具」及び図１４の櫛の歯状ノズル歯車内蔵型５３は一つのモジュールを示したものであることから、使用の実際はこれを複数個並べて使用するものである。
又複数個直線的に並べた、進行の方向４９の前後に普通の髪梳き用ブラシを組み込むとブラシとの兼用となり便利である。
図１４に示す、本発明による「櫛の歯状ノズル歯車内蔵型５３」に単体で内蔵して使用する歯車３２Ｄは動力の伝達を行うための歯車や減速機に使用する歯車と使用目的が異なるため、噛み合いのための加工精度や、歯の面圧強度、磨耗強度、に大きな制約がいらないことから、材料の選択幅が大きく、金属、プラスチック、フェルト状素材が利用できること。
又、噛み合いの無いことは、歯の形はインボリュートや円弧の必要は無く、三角形の歯型でもよい。
従って、素材の異なる薄い同一形状の歯車を、張り合わせて一体化した歯車や、薄いプラスチックの歯車とやわらかいフェルト状の素材の円盤を同芯としてサンドウィッチ状に数枚重ね合わせた形状の回転子等が利用できる。
【図面の簡単な説明】
【０００９】
【図１】  図１はガス圧力式スプレー１の機能を示す構造図である。
【図２】  図２は、櫛９の正面図である。
【図３】  図３は、先の考案による櫛の歯状ノズル１３の構造を示す断面図である。
【図４】  図４は先の考案による、櫛の歯状ノズル栓付型１３Ａの構造を示す断面図である。
【図５】  図５は、先の考案による、櫛の歯状ノズルボールペン型１３Ｂの構造を示す断面図である。
【図６】  図６は、先の考案による櫛の歯状ノズル逆止弁型１３Ｃの構造を示す断面図である。
【図７】  図７は、先の考案による頭皮への薬液塗布用器具の実施態様例を示す正面図である。
【図８】  図８は、歯車ポンプ３１の構造を示す断面図である。
【図９】  図９は三葉ポンプ４０の構造を示す断面図である。
【図１０】  図１０は、回転ブラシ４１の構造を示す側面図である。
【図１１】  図１１は、花びら型車輪４８の構造を示す側面図である。
【図１２】  図１２は、回転ブラシ４１の移動（直進）方向と回転の方向を示す、側面図である。
【図１３】  図１３は、本発明による、「極小歯車を使用した、頭皮への薬液塗布用器具」において、回転ブラシ４１を駆動装置と用いて、歯車３２を駆動する実施例を示した断面図である。
【図１４】  図１４は、本発明による「極小歯車を使用した、頭皮への薬液塗布用器具」おける、「櫛の歯状ノズル歯車内蔵型５３」の構造を示す断面図である。
【図１５】  図１５は、本発明による「極小歯車を使用した、頭皮への薬液塗布用器具」の実施例を示す断面図である。
【符号の説明】
【００１０】  １．    ガス圧力式スプレー
２．    容器
３．    押しボタン
４．    バルブ
５．    高圧のガス
６．    導管
７．    薬液
８．    ノズル
９．    櫛
１０．    柄
１１．    歯
１２．    先端
１３．    櫛の歯状ノズル
１３Ａ．  櫛の歯状ノズル栓付型
１３Ｂ．  櫛の歯状ノズルボールペン型
１３Ｃ．  櫛の歯状ノズル逆止弁型
１４．    孔
１５．    先端部
１６．    栓
１７．    ボール
１８．    逆止弁
１９．    弁座
２０．    コイルばね
２１．    ばね受け
２２．    スピンドル
２３．    先端
２４．    空気入口
２５．    接続短管
２６．    薬液容器
２７．    空気層
２８．    給気管
２９．    キャップ
３０．    逆止弁
３１．    歯車ポンプ
３２．    歯車
３２Ｄ．  歯車（駆動側）
３３．    軸
３３Ｄ．  軸（駆動用）
３３Ｅ．  軸（駆動用）
３４Ｒ．  回転方向（右廻り）を示す矢印
３４Ｌ．  回転方向（左廻り）を示す矢印
３５Ｇ．  歯車ポンプのケーシング（英語：ＣＡＳＩＮＧ）
３５Ｌ．  三葉ポンプのケーシング
３６．    吐出側
３７．    吸込側
３８．    液の流れを示す矢印
３９．    三葉回転子
３９Ｄ．  三葉回転子（駆動側）
４０．    三葉ポンプ
４１．    回転ブラシ
４２．    羽根
４３．    回転ブラシのボス
４４．    羽根の先端
４５．    花ビラ形の円盤
４６．    花ビラ形の円盤の表面
４７．    花ビラ形車輪のボス
４８．    花ビラ形車輪
４９．    進行方向を示す矢印
５０．    髪の毛
５１．    頭皮の表面
５２．    頭皮の表面５１と羽根の先端４４との接触部
５３．    櫛の歯状ノズル歯車内蔵型
５４．    ノズル機能のあるケーシング
５５．    濡れ面保持用の棒
５６．    軸受け
５７．    軸受けカバー
５８．    連結された駆動用軸
５９．    薬液の液面
６０．    櫛の歯状ノズル歯車ポンプ内臓型のケーシング
【図１】
2011120857.tif 000003
【図２】
2011120857.tif 000004
【図３】
2011120857.tif 000005
【図４】
2011120857.tif 000006
【図５】
2011120857.tif 000007
【図６】
2011120857.tif 000008
【図７】
2011120857.tif 000009
【図８】
2011120857.tif 000010
【図９】
2011120857.tif 000011
【図１０】
2011120857.tif 000012
【図１１】
2011120857.tif 000013
【図１２】
2011120857.tif 000014
【図１３】
2011120857.tif 000015
【図１４】
2011120857.tif 000016
【図１５】
2011120857.tif 000017